(57)【要約】【課題】  鳥の卵が巣内にある状態で卵の孵化を抑制する、鳥の卵の孵化抑制方法を実現する。【解決手段】  まず、タンク３に、界面活性剤の２倍希釈液５リットルを充填する。無線操縦ヘリコプタ１の操縦者は、無線操縦用送信機を操作して、カメラ６にて進行方向の下方の様子をモニターしながら、無線操縦ヘリコプタ１をカワウの巣の上方に誘導し、巣の上空約２ｍの地点に停留させる。続いて、図示しない空中散布コントローラを操作して、界面活性剤の空中散布を行う。空中散布コントローラは、空中散布用アンテナ１２により制御信号を受信すると、その制御信号に基づき、図示しないポンプやモータなどを用いた公知の制御方法により、液体の散布量を調節し、タンク３に充填された液体を、給液チューブを経て、ノズル５に供給し、空中散布する。【選択図】  図２
2006141220.tif 000002
【特許請求の範囲】
【請求項１】
鳥の卵の卵殻に液体を付着させることにより、前記卵の孵化を抑制することを特徴とする鳥の卵の孵化抑制方法。
【請求項２】
前記液体が、揮発性が低い液体であることを特徴とする請求項１に記載の鳥の卵の孵化抑制方法。
【請求項３】
前記液体が、卵殻の気孔を閉塞することを特徴とする請求項１、または、請求項２に記載の鳥の卵の孵化抑制方法。
【請求項４】
前記液体が、油であることを特徴とする請求項１ないし請求項３のいずれか１つに記載の鳥の卵の孵化抑制方法。
【請求項５】
前記液体が、卵殻に付着後に硬化することを特徴とする請求項１ないし請求項３のいずれか１つに記載の鳥の卵の孵化抑制方法。
【請求項６】
前記液体が、卵殻より卵の内部に侵入し、卵を死滅させることを特徴とする請求項１、または、請求項２に記載の鳥の卵の孵化抑制方法。
【請求項７】
前記液体が、界面活性剤であることを特徴とする請求項６に記載の鳥の卵の孵化抑制方法。
【請求項８】
前記液体を空中散布により卵殻に付着させることを特徴とする請求項１ないし請求項７のいずれか１つに記載の鳥の卵の孵化抑制方法。
【請求項９】
前記空中散布は、無線により操縦する飛行物体により行うことを特徴とする請求項８に記載の鳥の卵の孵化抑制方法。
【請求項１０】
前記飛行物体は、飛行する前記飛行物体の周囲の状況をモニターするカメラを搭載していることを特徴とする請求項９に記載の鳥の卵の孵化抑制方法。
【発明の詳細な説明】
【技術分野】
【０００１】
本発明は、カワウなど野鳥の繁殖を抑制するための、卵の孵化抑制方法に関するものである。
【背景技術】
【０００２】
近年、カワウなど野鳥は、人間の生活と衝突する場所に、集団で生息するコロニーを形成し、繁殖するようになってきている。その結果、稚アユなどが食べられてしまう漁業被害、多量のふんにより樹木が枯れたりするいわゆるふん害、送電のトリップ事故など重大な被害が引き起こされている。
これらの被害を無くすために種々の対策が行われているが、現状では顕著な効果が得られていない。例えば、爆竹などの破裂音による撃退では、鳥は一時的に巣から離れるもののすぐ戻ってきてしまう。また、銃などによる駆除では、繁殖自体を抑制することができないため、新たに生まれる世代を駆除しなければならないといういたちごっこが続いている。
繁殖を抑制するためには、巣内の卵を除去する方法がある。しかし、鳥は産卵期において複数個の卵を産卵し、外敵によって捕獲されたりすると、新たに産み続ける習性があるため、卵の除去は一定間隔で継続して実施する必要があり、繁殖を抑制することが容易ではない。
そこで、従来、繁殖自体を抑制する方法として、巣内の卵を、本物の卵とそっくりに作られた偽の卵（擬似卵）と入れ替える方法が採用されてきた。この方法によれば、鳥は巣内に擬似卵があることにより本物の卵があるものと勘違いをし、新たな卵を産卵することはないため、繁殖を抑制することができる。
【０００３】
【特許文献１】特開２００３−０６１５５３号公報  （図１）
【発明の開示】
【発明が解決しようとする課題】
【０００４】
しかし、水辺や高所に営巣する鳥の場合、その巣に近づくことが困難であり、擬似卵と本物の卵を交換することが困難である。また、最近の鳥は学習能力が高く、擬似卵が見破られることが多くなってきているため、卵殻の質感・形状・重量・保温性などを本物の卵に近い擬似卵を作製する必要が生じ、コストがかかるという問題がある。
【０００５】
そこで、本発明では、鳥の卵が巣内にある状態で卵の孵化を抑制する、鳥の卵の孵化抑制方法を実現することを目的とする。
【課題を解決するための手段】
【０００６】
この発明は、上記目的を達成するため、請求項１に記載の発明では、鳥の卵の孵化抑制方法において、鳥の卵の卵殻に液体を付着させることにより、前記卵の孵化を抑制する、という技術的手段を採用する。
【０００７】
請求項２に記載の発明では、請求項１に記載の鳥の卵の孵化抑制方法において、前記液体が、揮発性が低い液体である、という技術的手段を採用する。
【０００８】
請求項３に記載の発明では、請求項１、または、請求項２に記載の鳥の卵の孵化抑制方法において、卵殻の気孔を閉塞する、という技術的手段を採用する。
【０００９】
請求項４に記載の発明では、請求項１ないし請求項３のいずれか１つに記載の鳥の卵の孵化抑制方法において、前記液体が、油である、という技術的手段を採用する。
【００１０】
請求項５に記載の発明では、請求項１ないし請求項３のいずれか１つに記載の鳥の卵の孵化抑制方法において、前記液体が、卵殻に付着後に硬化する、という技術的手段を採用する。
【００１１】
請求項６に記載の発明では、請求項１、または、請求項２に記載の鳥の卵の孵化抑制方法において、前記液体が、卵殻より卵の内部に侵入し、卵を死滅させる、という技術的手段を採用する。
【００１２】
請求項７に記載の発明では、請求項６に記載の鳥の卵の孵化抑制方法において、前記液体が、界面活性剤である、という技術的手段を採用する。
【００１３】
請求項８に記載の発明では、請求項１ないし請求項７のいずれか１つに記載の鳥の卵の孵化抑制方法において、前記液体を空中散布により卵殻に付着させる、という技術的手段を採用する。
【００１４】
請求項９に記載の発明では、請求項８に記載の鳥の卵の孵化抑制方法において、前記空中散布は、無線により操縦する飛行物体により行う、という技術的手段を採用する。
【００１５】
請求項１０に記載の発明では、請求項９に記載の鳥の卵の孵化抑制方法において、前記飛行物体が、飛行する前記飛行物体の周囲の状況をモニターするカメラを搭載している、という技術的手段を採用する。
【発明の効果】
【００１６】
（請求項１に記載の発明の効果）
鳥の卵の卵殻に液体を付着させるという簡単な作業で、孵化を抑制することができるため、擬似卵よりコスト的に有利である。さらに、本物の卵を処理することにより孵化を抑制するので、擬似卵を使用した場合のように、処理を施したことを見破られるおそれがない。
【００１７】
（請求項２に記載の発明の効果）
液体の揮発性が低いので、卵殻の表面に液体を長時間付着させることができ、確実に孵化を抑制することができる。
【００１８】
（請求項３に記載の発明の効果）
液体が、卵殻の気孔を閉塞するため、卵を窒息させ、死滅させることができるので、確実に孵化を抑制することができる。
【００１９】
（請求項４に記載の発明の効果）
油を卵殻に付着させた場合、揮発性が低く、長期間にわたって卵殻の気孔を閉塞するため、卵を窒息させ、死滅させることができるので、確実に孵化を抑制することができる。
【００２０】
（請求項５に記載の発明の効果）
液体が、卵殻に付着後に硬化し、卵殻の気孔を閉塞するため、卵を窒息させ、死滅させることができるので、確実に孵化を抑制することができる。
【００２１】
（請求項６に記載の発明の効果）
液体が、卵殻より卵の内部に侵入し、卵を死滅させるので、確実に孵化を抑制することができる。
【００２２】
（請求項７に記載の発明の効果）
界面活性剤を卵殻に付着させた場合、卵殻へのぬれ性が良好であり、卵殻より卵の内部に侵入しやすいので、卵を死滅させ、確実に孵化を抑制することができる。
【００２３】
（請求項８に記載の発明の効果）
液体を空中散布するため、巣に近づくことが困難な場合、例えば、水辺に営巣されている場合や鉄塔などの高所に営巣されている場合でも、液体を卵殻に付着させることができる。
【００２４】
（請求項９に記載の発明の効果）
無線により操縦する飛行物体により液体の空中散布を行うため、有人のヘリコプタやセスナ機により空中散布を行った場合に比べて、コストを安くすることができる。
また、飛行物体の機体が小さい場合には、小回りが利くため、できるだけ巣に近づいてから液体を散布できるので、液体の散布量を少なくすることができる。
【００２５】
（請求項１０に記載の発明の効果）
無線により操縦する飛行物体が、周囲の状況をモニターするカメラを搭載しているため、巣の位置を確認しながら液体を散布することができるので、少ない散布量で液体を確実に卵に付着させることができる。
【発明を実施するための最良の形態】
【００２６】
（液体を空中散布する無線操縦ヘリコプタの構成）
無線により操縦する飛行物体を用いて、鳥の卵殻に液体を付着させる方法について、無線操縦ヘリコプタを使用した空中散布により、カワウの卵の孵化を阻害する液体を卵殻に付着させる方法を例に、図１および図２を参照して説明する。図１は、無線操縦ヘリコプタの側面説明図であり、図２は、無線操縦ヘリコプタの正面説明図である。
なお、以下の説明では、無線操縦ヘリコプタの飛行方向を前方、無線操縦ヘリコプタを正面から見たときの左右方向を左右方向とする。
図１に示すように、無線操縦ヘリコプタ１の胴体２の下部には、散布する液体を貯蔵するタンク３が装着されている。タンク３の前方には、周囲の状況をモニターするカメラ６が取り付けられている。
胴体２の後方には、操縦者が操作する無線操縦用送信機（図示せず）から発信された無線操縦ヘリコプタ１の機体制御信号を受信するための機体制御用アンテナ１１が、後方に突出して設けられており、機体制御を行うコントローラ（図示せず）に接続されている。機体制御用アンテナ１１の下方には、液体の空中散布の制御信号を受信するための空中散布用アンテナ１２が設けられており、各ノズル５による液体の噴出の制御を行う空中散布コントローラ（図示せず）に接続されている。
【００２７】
図２に示すように、タンク３の前方には、胴体２の下部で左右方向に突出して支持アーム４が設けられている。支持アーム４には、所定の間隔で、液体を霧状に噴出して散布する４個のノズル５が液体の噴出口を下方に向けた状態で設けられている。各ノズル５は、タンク３から液体を供給する図示しない給液チューブにより、タンク３と接続されている。
【００２８】
（無線操縦ヘリコプタ１による液体の空中散布方法）
無線操縦ヘリコプタ１による液体の空中散布方法について説明する。
まず、タンク３に、界面活性剤の２倍希釈液５リットルを充填する。
次に、無線操縦ヘリコプタ１の操縦者は、図示しない無線操縦用送信機を操作して、カメラ６にて進行方向の下方の様子をモニターしながら、無線操縦ヘリコプタ１をカワウの巣の上方に誘導し、巣の上空約２ｍの地点に停留させる。このとき、無線操縦ヘリコプタ１の飛来によりカワウは一時的に巣からいなくなるため、卵は巣内で外気に露出した状態となる。
続いて、図示しない空中散布コントローラを操作して、界面活性剤の空中散布を行う。空中散布コントローラは、空中散布用アンテナ１２により制御信号を受信すると、その制御信号に基づき、図示しないポンプやモータなどを用いた公知の制御方法により、液体の散布量を調節し、タンク３に充填された液体を、給液チューブ（図示せず）を経て、ノズル５に供給し、空中散布する。液体の空中散布は、毎分５００ｃｍ３の散布速度で、巣１つ当たりの散布時間が約５秒となるように行う。
空中散布はカワウの産卵間隔に合わせて２週間おきに３回行うと効果的である。また、空中散布は、風や上昇気流が生じにくい早朝に行うことが望ましい。
なお、この実施形態では、飛行物体として無線操縦ヘリコプタ１を使用したが、空中散布が可能な飛行物体、例えば、無線操縦飛行機などを使用することもできる。また、この実施形態は、カワウ以外の鳥に適用することもでき、界面活性剤以外の液体を空中散布してもよい。
【００２９】
（液体を卵殻に付着させることによる孵化の抑制効果）
液体を卵殻に付着させることによる孵化の抑制効果の確認試験について、図３を参照して説明する。図３は、各種液体を鶏の卵の卵殻に付着させた場合の、孵化の抑制効果の確認試験結果である。
確認試験は、以下の方法にて行った。
まず、鶏の有精卵を５個ずつ用意し、室温の油、界面活性剤、洗剤をそれぞれ付着させる。界面活性剤および洗剤では、水で希釈して濃度を変化させ、濃度の影響も併せて調査した。
液体の付着は、浸漬、または噴霧にて行い、それぞれ約０．３ｇの液体を卵殻に付着させた。噴霧は、塗装用の噴霧器を用いて、噴霧速度１０ｃｃ/ｍｉｎで２秒間行った。
次に、温度３７℃、湿度５０％に設定した孵卵器に卵を保持し、２１日後の孵化の確率を調査した。
図３では、分母に試験に用いた卵の個数、分子に孵化した卵の個数を示す。油を用いた場合、孵化した卵は０個であり、孵化は完全に抑制された。界面活性剤および洗剤を用いた場合、濃度２０％で孵化の抑制効果が発現した。濃度が５０％以上では孵化した卵は０個であり、孵化は完全に抑制された。
ここで、油を用いた場合には、揮発性が低く、長時間にわたって卵殻の気孔を閉塞するため、卵を窒息させ、死滅させることができるので、孵化が抑制されたと考えられる。また、界面活性剤および洗剤を用いた場合には、卵殻へのぬれ性が良好であり、卵殻より卵の内部に侵入し、卵を死滅させるので、孵化が抑制されたと考えられる。
【００３０】
［発明を実施するための最良の形態による効果］
（１）鳥の卵の卵殻に界面活性剤のような液体を付着させるという簡単な作業で、孵化を抑制することができるため、擬似卵よりコスト的に有利である。さらに、本物の卵を処理することにより孵化を抑制するので、擬似卵を使用した場合のように、処理を施したことを見破られるおそれがない。
【００３１】
（２）油を卵殻の表面に付着させた場合、揮発性が低く、長期間にわたって卵殻の気孔を閉塞するため、卵を窒息させ、死滅させることができるので、確実に孵化を抑制することができる。
【００３２】
（３）界面活性剤を卵殻の表面に付着させた場合、卵殻へのぬれ性が良好であり、卵殻より卵の内部に侵入しやすいので、卵を死滅させ、確実に孵化を抑制することができる。
【００３３】
（４）界面活性剤を無線操縦ヘリコプタ１で空中散布するため、巣に近づくことが困難な場合、例えば、カワウなどにより水辺に営巣されている場合や鉄塔などの高所に営巣されている場合でも、界面活性剤を卵殻に付着させることができる。
また、無線操縦ヘリコプタ１は、機体が小さく小回りが利くため、できるだけ巣に近づいて、界面活性剤を散布できるので、界面活性剤の散布量を少なくすることができる。
さらに、有人のヘリコプタやセスナにより空中散布を行った場合に比べて、コストを安くすることができる。
【００３４】
（４）無線操縦ヘリコプタ１が、無線操縦ヘリコプタ１の周囲の状況をモニターするカメラ６を搭載しているため、巣の位置を確認しながら界面活性剤を散布することができるので、少ない散布量で界面活性剤を確実に卵に付着させることができる。
【００３５】
（その他の実施形態）
（１）液体の卵殻への付着方法は、空中散布以外の方法を使用することもできる。例えば、巣の中にある卵に霧吹きで直接付着させたり、卵を液体に浸漬させたり、液体を刷毛塗りしたりするなどの方法を使用してもよい。これらの方法を使用した場合にも、前述した最良の形態の（１）ないし（３）の効果を奏することができる。
【００３６】
（２）液体として、常温硬化型の液体樹脂を使用してもよい。この方法を使用した場合、液体樹脂は卵殻に付着後に硬化し、卵殻の気孔を閉塞するため、卵を窒息させることができるので、確実に孵化を抑えることができる。また、この方法を使用した場合にも、前述した最良の形態の（１）の効果を奏することができる。
【００３７】
（３）液体の空中散布には、ノズル５を用いるかわりに、アトマイザーを用いてもよい。この方法を使用した場合、散布される液体の液滴が細かくなるので、液体を効率よく散布し、確実に卵に付着させることができる。また、この方法を使用した場合にも、前述した最良の形態の効果を奏することができる。
【００３８】
（４）無線操縦ヘリコプタ１に超音波距離計などの非接触型の距離計を搭載し、散布する高度を制御した空中散布を行うこともできる。この方法を使用した場合、無線操縦ヘリコプタ１を巣からの距離を、散布に適した距離に制御して散布できるので、液体を効率よく散布することができる。また、この方法を使用した場合にも、前述した最良の形態の効果を奏することができる。
【００３９】
（５）無線操縦ヘリコプタ１にＧＰＳなどの測位システムを搭載し、その測位情報に基づいて、所定の場所にのみ空中散布を行うこともできる。この方法を使用すると、あらかじめ定められた領域のみで液体の散布が可能であるため、液体や無線操縦ヘリコプタ１の燃料を浪費するおそれがない。また、この方法を使用した場合にも、前述した最良の形態の効果を奏することができる。
【００４０】
［各請求項と実施形態との対応関係］
無線操縦ヘリコプタ１が、請求項９に記載の飛行物体に対応する。
【図面の簡単な説明】
【００４１】
【図１】無線操縦ヘリコプタの側面説明図である。
【図２】無線操縦ヘリコプタの正面説明図である。
【図３】孵化抑制効果を確認した試験結果を示す説明図である。
【符号の説明】
【００４２】
１    無線操縦ヘリコプタ
２    胴体
３    タンク
５    ノズル
６    カメラ
【図１】
2006141220.tif 000003
【図２】
2006141220.tif 000004
【図３】
2006141220.tif 000005